(57)【要約】【課題】大量の画像の中からユーザの嗜好に合った画像を簡単に選択してプリント注文を行うことを可能にするプリント注文支援装置を提供する。【解決手段】制御部１は、記録媒体Ｍから大量の画像データを取得し、この大量の画像データの各々の色相を算出する。次に、制御部１は、プリント装置１００を現在利用しているユーザの嗜好色相を嗜好色相ＤＢ６から取得し、この嗜好色相と、上記算出した各画像データの色相との類似度を決定する。次に、制御部１は、各画像データの類似度に基づいて、大量の画像データの中からユーザの嗜好する画像データである嗜好画像データを決定し、決定した画像データを抽出する。次に、制御部１は、嗜好画像データに基づく嗜好画像を表示装置２に表示させる。【選択図】図１
2006252196.tif 000002
【特許請求の範囲】
【請求項１】
画像データに基づく画像のプリント注文を支援するプリント注文支援装置であって、
画像データを取得する画像データ取得手段と、
前記画像データ取得手段により取得した画像データから、前記画像データの所有者の嗜好に合った画像データである嗜好画像データを抽出する嗜好画像データ抽出手段と、
前記嗜好画像データに基づく画像を表示させる表示制御手段とを備えるプリント注文支援装置。
【請求項２】
請求項１記載のプリント注文支援装置であって、
前記所有者の嗜好とは、色相に関する嗜好であるプリント注文支援装置。
【請求項３】
請求項２記載のプリント注文支援装置であって、
前記嗜好画像データ抽出手段は、前記画像データの色相を算出し、該色相と前記所有者の嗜好する嗜好色相との類似度に基づいて前記嗜好画像データを決定するプリント注文支援装置。
【請求項４】
請求項３記載のプリント注文支援装置であって、
前記色相は、画像データに含まれる色を複数種類に分類したときに、分類された各色の前記画像データ全体に占める割合で示され、
前記嗜好画像データ抽出手段は、前記類似度を、前記画像データの各色の占める割合と、前記嗜好色相で示される各色の占める割合との差分に基づいて決定するプリント注文支援装置。
【請求項５】
請求項３又は４記載のプリント注文支援装置であって、
前記所有者が過去にプリント注文した画像データを取得するプリント注文済み画像データ取得手段と、
前記プリント注文済みの全画像データの色相の平均を前記嗜好色相として算出する嗜好色相算出手段と、
前記嗜好色相算出手段により算出した嗜好色相を記録媒体に記録する嗜好色相記録手段とを備えるプリント注文支援装置。
【請求項６】
ユーザによって過去にプリント注文された画像データを取得するプリント注文済み画像データ取得手段と、
前記プリント注文済みの全画像データの色相の平均を、前記ユーザの嗜好する色相である嗜好色相として算出する嗜好色相算出手段と、
前記嗜好色相算出手段により算出した嗜好色相を記録媒体に記録する嗜好色相記録手段とを備える嗜好色相データベース作成装置。
【請求項７】
コンピュータを、請求項１〜５のいずれか記載のプリント注文支援装置の各手段として機能させるためのプリント注文支援プログラム。
【請求項８】
コンピュータを、請求項６記載の嗜好色相データベース作成装置の各手段として機能させるための嗜好色相データベース作成プログラム。
【発明の詳細な説明】
【技術分野】
【０００１】
本発明は、画像データに基づく画像のプリント注文を支援するプリント注文支援装置に関する。
【背景技術】
【０００２】
画像データに基づく画像のプリントを行うサービスを提供するサーバに接続されたコンピュータや、そのサービスを行う店舗に設置されたプリント端末を用いて、デジタルカメラ等で撮影して得られた大量の画像データの中から、プリントしたい画像データを選択して、その画像データのプリント注文を行うといったことが従来から行われている。近年、デジタルカメラに搭載可能な記録メディアの容量は大容量化してきているため、大量の画像データの中から必要な画像データだけを選択するといった作業が大変になってきている。そこで、大量の画像データの各々の合否を判定し、合格画像だけをプリントするようなシステムが提案されている（特許文献１参照）。
【０００３】
【特許文献１】特開２００１−２５６４９号公報
【発明の開示】
【発明が解決しようとする課題】
【０００４】
しかし、上記従来のシステムは、良好な画像データだけをプリントするものであるため、プリントされた画像がユーザの希望する画像と必ずしも一致しない。
【０００５】
本発明は、上記事情に鑑みてなされたものであり、大量の画像の中からユーザの嗜好に合った画像を簡単に選択してプリント注文を行うことを可能にするプリント注文支援装置を提供することを目的とする。
【課題を解決するための手段】
【０００６】
本発明のプリント注文支援装置は、画像データに基づく画像のプリント注文を支援するプリント注文支援装置であって、画像データを取得する画像データ取得手段と、前記画像データ取得手段により取得した画像データから、前記画像データの所有者の嗜好に合った画像データである嗜好画像データを抽出する嗜好画像データ抽出手段と、前記嗜好画像データに基づく画像を表示させる表示制御手段とを備える。又、前記所有者の嗜好とは、色相に関する嗜好である。
【０００７】
この構成によれば、大量の画像の中からユーザの嗜好に合った画像を簡単に選択してプリント注文を行うことを可能にすることができる。
【０００８】
本発明のプリント注文支援装置は、前記嗜好画像データ抽出手段が、前記画像データの色相を算出し、該色相と前記所有者の嗜好する嗜好色相との類似度に基づいて前記嗜好画像データを決定する。
【０００９】
本発明のプリント注文支援装置は、前記色相が、画像データに含まれる色を複数種類に分類したときに、分類された各色の前記画像データ全体に占める割合で示され、前記嗜好画像データ抽出手段は、前記類似度を、前記画像データの各色の占める割合と、前記嗜好色相で示される各色の占める割合との差分に基づいて決定する。
【００１０】
本発明のプリント注文支援装置は、前記所有者が過去にプリント注文した画像データを取得するプリント注文済み画像データ取得手段と、前記プリント注文済みの全画像データの色相の平均を前記嗜好色相として算出する嗜好色相算出手段と、前記嗜好色相算出手段により算出した嗜好色相を記録媒体に記録する嗜好色相記録手段とを備える。
【００１１】
本発明の嗜好色相データベース作成装置は、ユーザによって過去にプリント注文された画像データを取得するプリント注文済み画像データ取得手段と、前記プリント注文済みの全画像データの色相の平均を、前記ユーザの嗜好する色相である嗜好色相として算出する嗜好色相算出手段と、前記嗜好色相算出手段により算出した嗜好色相を記録媒体に記録する嗜好色相記録手段とを備える。
【００１２】
本発明のプリント注文支援プログラムは、コンピュータを、前記プリント注文支援装置の各手段として機能させるためのプログラムである。
【００１３】
本発明の嗜好色相データベース作成プログラムは、コンピュータを、前記嗜好色相データベース作成装置の各手段として機能させるためのプログラムである。
【発明の効果】
【００１４】
本発明によれば、大量の画像の中からユーザの嗜好に合った画像を簡単に選択してプリント注文を行うことを可能にするプリント注文支援装置を提供することができる。
【発明を実施するための最良の形態】
【００１５】
以下、本発明の実施形態について図面を参照して説明する。
【００１６】
図１は、本発明の実施形態を説明するためのプリント装置の概略構成を示すブロック図である。
図１に示すプリント装置１００は、例えばデジタルカメラやカメラ付き携帯電話等で撮影して得られた画像データに基づく画像のプリントを行うものであり、制御部１と、表示装置２と、操作パネル３と、メディアインタフェース（Ｉ／Ｆ）４と、画像記憶装置５と、嗜好色相データベース（ＤＢ）６と、プリント部７とを有して構成される。プリント装置１００は、店舗に設置されて、不特定多数のユーザによって利用可能な装置である。
【００１７】
制御部１は、本発明のプログラムを含む所定のプログラムによって動作するプロセッサや、ＲＯＭ、ＲＡＭ等を有して構成されており、プリント装置１００全体を統括制御する。制御部１は、所定のプログラムを実行することにより、特許請求の範囲のプリント注文支援装置、嗜好色相データベース作成装置として機能する。
【００１８】
表示装置２は、ＣＲＴや液晶表示装置等から構成される。表示装置２の画面上には操作パネル３としてタッチパネルが設けられている。
【００１９】
メディアＩ／Ｆ４は、ユーザが持参した記録媒体Ｍ（例えば画像データが記録されているメモリカード等）から画像データをプリント装置１００内に取得するためのインタフェースであり、複数種類の記録媒体に対応するとともに、各種の接続形態に対応している。
【００２０】
画像記憶装置５は、例えばハードディスク装置等で構成されており、記録媒体Ｍから取得された画像データが格納される。
【００２１】
嗜好色相ＤＢ６は、ユーザ毎に、ユーザの嗜好する色相である嗜好色相を予め記録している。本実施形態でいう色相とは、画像データに含まれる色を複数種類（例えば１５０種類）に分類したとき、分類された各色毎の画像データ全体に占める割合を示すデータのことである。嗜好色相ＤＢ６は、プリント装置１００の内部に限らず、プリント装置１００とネットワークを介して接続された外部サーバ内にあっても良い。
【００２２】
プリント部７は、ユーザからプリント注文された画像データに基づく画像をプリントする。
【００２３】
以下、プリント装置１００の動作について説明する。
図２は、プリント装置の制御部の動作フローを示す図である。図３は、本発明の実施形態を説明するためのプリント装置の表示装置に表示される画面の一例を示す図である。以下では、ユーザの所有する記録媒体Ｍに大量の画像データが記録されている場合を例にして説明する。
図２に示すように、プリント装置１００の制御部１は、ユーザによってメディアＩ／Ｆ４に記録媒体Ｍが装着されると、記録媒体ＭからメディアＩ／Ｆ４を介して大量の画像データを取得し、取得した画像データを画像記憶装置５に記憶すると共に、その画像データに基づく画像の一覧画面を図３に示すように表示装置２に表示させる（Ｓ１１）。このとき、表示装置２には、図３に示すように、「おすすめ」、「自分で選ぶ」、「プリント」、「キャンセル」等のボタンが表示される。
【００２４】
その後、ユーザにより「おすすめ」ボタンが押されて、「おすすめ機能」（ユーザの嗜好する画像データを抽出して表示する機能）が実行されると（Ｓ１２：ＹＥＳ）、制御部１は、Ｓ１１で取得した大量の画像データの各々の色相を算出する（Ｓ１３）。図４は、ここで算出した色相をグラフ化したものであり、縦軸は色の占める割合（単位：％）であり、横軸は色の種類である。尚、図４には、嗜好色相ＤＢ６に記録されているユーザの嗜好色相も併せて図示した。
【００２５】
次に、制御部１は、Ｓ１１で取得した画像データの所有者である上記ユーザの嗜好色相を嗜好色相ＤＢ６から取得し、この嗜好色相と、上記算出した各画像データの色相との類似度を決定する（Ｓ１４）。例えば、各画像データの色相と嗜好色相との差分に基づいて類似度を決定する。図４の例で説明すると、色１〜色４の各々について、上記算出した色相で示される割合から嗜好色相で示される割合を減算し、これにより得られる値が所定値よりも大きい色の数を求め、この数を類似度として判定する。
【００２６】
次に、制御部１は、各画像データの類似度に基づいて、大量の画像データの中からユーザの嗜好する画像データである嗜好画像データを決定し、決定した画像データを抽出する（Ｓ１５）。例えば、類似度が所定値よりも大きい画像データを嗜好画像データと判断する。
【００２７】
次に、制御部１は、嗜好画像データに基づく嗜好画像を表示装置２に表示させる（Ｓ１６）。例えば、嗜好画像データの類似度が高い順に優先的に表示装置２の画面上に表示させる。
【００２８】
そして、ユーザは、画面上に表示された嗜好画像の中からプリントしたい画像を選択し、「プリント」ボタンを押して該選択した画像のプリント注文を行う。ユーザにより所定の画像のプリント注文がなされると（Ｓ１７：ＹＥＳ）、制御部１は、このプリント注文された画像をプリント部７にプリントさせる（Ｓ１８）。
【００２９】
尚、Ｓ１２で「おすすめ機能」が実行されずに「自分で選ぶ」ボタンが押されて「自分で選ぶ機能」（プリントしたい画像データを自由に選ぶ機能）が実行された場合（Ｓ１２：ＮＯ）、制御部１は、ユーザから選択された画像データに基づく画像を、ユーザからのプリント注文があった場合（Ｓ１７：ＹＥＳ）にプリント部７にプリントさせる（Ｓ１８）。
【００３０】
プリントが完了すると、制御部１は、ユーザが過去にプリント注文した複数の画像データを画像記憶装置５から取得し（Ｓ１９）、取得した各画像データの色相を算出し（Ｓ２０）、算出した色相の平均を算出して、これを該ユーザの嗜好色相とする（Ｓ２１）。色相の平均は、複数の画像データの各々に含まれる同一色の割合の値の総和をとり、この総和を該画像データの総数で割ることで求めることができる。そして、制御部１は、Ｓ２２で算出した嗜好色相を嗜好色相ＤＢ６に記録して、ユーザの嗜好色相を更新し（Ｓ２２）、次回、同じユーザによっておすすめ機能が実行された場合には、新しく記録した嗜好色相を基に、嗜好画像データの抽出を行う。
【００３１】
以上のようにプリント装置１００によれば、大量の画像の中からユーザの色の嗜好に合った画像だけを抽出して表示させることができるため、大量の画像の中からプリントしたい画像を選択する手間を省くことができると共に、ユーザの希望しない画像が表示されるといったことを極力なくすことができる。
【００３２】
又、本実施形態では、画像のプリント注文の受け付けからプリントまでを行うプリント装置を例にして説明したが、本発明の処理は、ユーザの所有するコンピュータ上でも実行可能である。この場合は、本発明のプログラムを実行したコンピュータが、図２のＳ１１〜Ｓ１６までの処理を行い、Ｓ１７でプリント注文が行われた場合は、プリント注文情報を作成して、それをプリントサービスを行うサーバに送信する処理を行い、その後、Ｓ１９以降の処理を行って、ネットワークに接続された嗜好色相ＤＢ６に嗜好色相を登録すれば良い。
【００３３】
又、プリント装置１００を初めて利用するユーザは、嗜好色相ＤＢ６に嗜好色相が登録されていないため、この場合は、ユーザが、プリント注文を行う前に嗜好色相を手動等によって登録しておくステップを踏めば良い。又は、上述したように事前に自宅のコンピュータで嗜好色相の登録を行っておいてから、プリント装置１００を利用するようにしても良い。
【００３４】
又、本実施形態では、プリント装置１００が嗜好色相を更新する処理（図２のＳ１９〜Ｓ２２）を行っているが、この処理を別の装置によって行うことも可能である。例えば、ユーザの自宅のコンピュータに嗜好色相データベース作成プログラムをインストールしておき、これを実行したコンピュータが、プリント装置１００を運営する会社のサーバにアクセスしてユーザが過去にプリント注文した画像データを取得し、その後、図２のＳ２０〜Ｓ２２までの処理を行うようにしても良い。
【図面の簡単な説明】
【００３５】
【図１】本発明の実施形態を説明するためのプリント装置の概略構成を示すブロック図
【図２】プリント注文支援プログラムを実行したプリント装置の制御部の動作フローを示す図
【図３】本発明の実施形態を説明するためのプリント装置の表示装置に表示される画面の一例を示す図
【図４】プリント装置の制御部で算出される色相をグラフ化した図
【符号の説明】
【００３６】
１  制御部
２  表示装置
３  操作パネル
４  メディアインタフェース
５  画像記憶装置
６  嗜好色相データベース
７  プリント部
１００  プリント装置
【図１】
2006252196.tif 000003
【図２】
2006252196.tif 000004
【図３】
2006252196.tif 000005
【図４】
2006252196.tif 000006